(57)【要約】      （修正有）【課題】沓摺高さを所定の高さ以下に収めつつ、床パンの裏面側の収納空間を確保し、更に、床パンの排水性を確保することができる浴室ユニットの床パン構造を提供する。【解決手段】平面視略矩形をなす床パン１は、その外周を構成する四辺のうちの一辺の中程付近に排水トラップへと繋がる排水口１３が形成されるとともに、排水口１３に向かう水勾配を有する傾斜面１８５、１８６及び１８７が、外周から排水口１３までの領域に、水勾配が変化するように形成されている。【選択図】図１
2013113031.tif 000002
【特許請求の範囲】
【請求項１】
浴槽とともに設置面に並設され、裏面側に排水トラップが配置された洗い場床を構成する床パンの構造であって、
前記床パンは、平面視略矩形をなし、外周を構成する四辺のうちの一辺の中程付近に前記排水トラップに繋がる排水口が形成され、前記一辺以外の三辺それぞれの両端と前記排水口とを頂点とする平面視略三角形をなして前記排水口に向かう水勾配を有する傾斜面が形成され、
前記傾斜面は、外周から前記排水口側に所定の幅を有する第一の領域がその内側の領域である第二の領域より急勾配となり、該第二の領域より内側であり且つ前記排水口付近に位置する第三の領域が前記第二の領域より急勾配であり且つ前記第一の領域より緩勾配となるように形成されていることを特徴とする浴室ユニットの床パン構造。
【請求項２】
前記第一の領域の水勾配が３０／１０００乃至６０／１０００の範囲であり、前記第二の領域の水勾配が８／１０００乃至１０／１０００の範囲であり、第三の領域の水勾配が１５／１０００乃至３０／１０００の範囲であることを特徴とする請求項１に記載の浴室ユニットの床パン構造。
【請求項３】
前記第一の領域の水勾配の長さが第二の領域の水勾配の長さより短く、第三の領域の水勾配の長さが第二の領域の水勾配の長さより短く且つ第一の領域の水勾配の長さより長くなるように形成されていることを特徴とする請求項１又は２に記載の浴室ユニットの床パン構造。
【請求項４】
前記床パンは、設置面から外周までの沓摺高さが２００ｍｍ以下となるように設置され、前記排水口周辺から前記浴槽のフランジ頂部までの跨ぎ高さが４５０ｍｍ以下となるように形成されていることを特徴とする請求項１乃至３のいずれかに記載の浴室ユニットの床パン構造。
【発明の詳細な説明】
【技術分野】
【０００１】
本発明は、浴槽とともに設置面に並設され、裏面側に排水トラップが配置された洗い場床を構成する浴室ユニットの床パン構造に関する。
【背景技術】
【０００２】
従来、浴槽、床パン、壁パネル及び天井パネルなどの部品が工場において成型され、部品が現場に搬入された後、完成品として組み立てられる浴室ユニットが知られている。
【０００３】
浴室ユニットは、現場で一枚一枚タイルを貼って仕上げていく在来浴室に比べて施工が簡単であって工期を短縮することができ、部品点数を抑えて施工費用を抑えることができることから、集合住宅及び戸建て住宅などで広く採用されている。
【０００４】
浴室ユニットの構造について以下簡単に説明する。浴室ユニットは、図５及び図６に示すように、少なくとも、洗い場床パンを構成する床パン８と、床パン８に並設する浴槽８０４と、床パン８の裏面に吊設された排水トラップ８１０とを備えている。
【０００５】
床パン８は、洗い場面８００と、堰部８０１と、壁嵌込部８０２と、排水口８０３と、支持脚８１２とを備える。洗い場面８００は、平面視略矩形をなしており、その外周を構成する四辺のうちの浴槽８０４側の一辺に堰部８０１が設けられている。洗い場面８００は、堰部８０１を有する一辺以外の三辺に壁嵌込部８０２を備える。いずれかの壁嵌込部８０２には、浴室への出入口となるドア８１３が嵌め込まれる。設置面から壁嵌込部８０２までの高さが「沓摺高さ」となる。洗い場面８００は、堰部８０１を有する一辺の中程付近に排水口８０３が設けられている。排水口８０３は、洗い場面８００に吊設された排水トラップ８１０に繋がっている。また、洗い場面８００は、裏面から延び出た支持脚８１２により設置面からの高さが調整される。
【０００６】
浴槽８０４は、浴槽底部８０５と、浴槽壁部８０６と、フランジ８０７と、エプロン８０８と、排水筒８０９とを備える。浴槽８０４は、浴槽底部８０５から浴槽壁部８０６が立ち上がり、上面が開口し、この開口の縁から外方にフランジ８０７が張り出し、フランジ８０７の先端が垂下している。エプロン８０８は、上端部が浴槽８０４のフランジ８０７の垂下部分に嵌まり込み、下端部が床パン８の堰部８０１に嵌まり込むことにより固定されている。排水筒８０９は、浴槽底部８０５に形成され、槽内の排水を排水トラップ８１０へと流出させる。
【０００７】
排水トラップ８１０は、本体下部に封水溜が形成され、この封水溜に連通するように、浴槽８０４の排水筒８０９及び排水主管８１１と接続する。排水トラップ８１０は、自らに流れ込んだ排水を排水主管８１１側に円滑に流すための勾配が設けられているため、ある程度の高さ寸法を必要としている。
【０００８】
このような構成を備える浴室ユニットは、集合住宅で用いられる場合、設置面（建築床）から上階までの限定された空間のなかで可能な限り高い天井高を確保することができるよう、沓摺高さが低く抑えられた低床タイプが望まれている。また、低床タイプの浴室ユニットは、出入口の下縁と浴室前の脱衣室床との段差で躓くことがないよう、バリアフリーの目的からも望まれている。集合住宅で用いられる浴室ユニットは、沓摺高さが低ければ低いほど利用性が高まり有利となる。
【０００９】
そこで、集合住宅で用いられる浴室ユニットは、床パン８の裏面側の排水トラップ８１０の収納空間と、高い天井高の確保とのバランスが求められた結果、沓摺高さが２００ｍｍ以下に設定されるのが一般的となっている。
【００１０】
ところで、沓摺高さは、床パン８の裏面側の排水トラップ８１１の寸法のみで決定されるものではない。沓摺高さは、床パン８の水上側に位置するため、排水トラップ８１０の収納空間を有する床パン８の水下側との高低差、即ち、床パン８の排水勾配Ｓ４との関係が重要となる。
【００１１】
床パン８には、排水を排水口に流すための排水勾配Ｓ４が付けられている。排水勾配Ｓ４は、勾配がぬるい（傾斜が緩い）場合、排水性が悪くなり、床パンに残留する湯水の乾燥が遅くなり、非衛生的になりやすいが、床パンに立つ入浴者が自らの姿勢保持しやすい。これに対して、勾配が早い（傾斜が急な）場合、湯水の排水性が高くなり、床パンに残留する湯水の乾燥が早くなり、衛生的であるが、床パンに立つ入浴者が自らの姿勢を保持し難い。
【００１２】
そこで、これらの条件がバランス良く達することができる勾配が求められた結果、床パンの排水勾配は、２０／１０００乃至３０／１０００程度の勾配が一般的となっている。即ち、図５及び図６に示す床パン８にあてはめると、排水勾配Ｓ４が２０／１０００乃至３０／１０００程度の勾配が一般的となっている。
【００１３】
従って、沓摺高さは、排水勾配Ｓ４を緩勾配とするのみで、２００ｍｍ以下に抑えることは困難である。そのため、排水トラップ８１０の高さ寸法如何によっては、沓摺高さが２００ｍｍを超えることになる場合がありうる。
【００１４】
そこで、従来、床パンの排水口の周辺を部分的に洗い場の水上より高い位置まで隆起させ、この隆起の裏面側に生じた空間に、排水トラップを設置させることにより、排水トラップの高さ寸法如何によっても沓摺高さを２００ｍｍ以下に抑えることができる床パン構造が提案されている（例えば、特許文献１）。
【先行技術文献】
【特許文献】
【００１５】
【特許文献１】特許第４５０６２７４号公報
【発明の概要】
【発明が解決しようとする課題】
【００１６】
しかしながら、特許文献１に記載された発明は、以下に挙げる課題を解決することができず、浴槽の深さなどを無視した、ごく限られた理想化された状態でのみ採用することができるにすぎない。
【００１７】
第一に、浴槽には、洋式、和式及び和洋折衷式の３種類があり、その中でも住宅用として広く採用されている和式及び和洋折衷式の浴槽は、入浴者が肩まで湯に浸かることができるように４５０ｍｍ以上の深さが必要となる。一方、床パンから浴槽のフランジ頂部までの「跨ぎ高さ」は、高齢者などが跨ぐ際の負担を考慮して４５０ｍｍ以下であることが好ましいとされている。そのため、跨ぎ高さを４５０ｍｍとしつつ、浴槽の深さを４５０ｍｍ以上とした場合、跨ぎ前と跨ぎ後との高さ位置に差が生じるため、浴槽を跨ごうとする入浴者に過大な負担を掛けるおそれがある。
【００１８】
そこで、浴槽の深さは、概ね、４５０ｍｍ乃至５００ｍｍの深さとなるように形成されるのが一般的である。即ち、図５及び図６に示す浴槽８０４にあてはめると、深さＤ３は、４５０ｍｍ乃至５００ｍｍ程度であるのが一般的である。また、床パン８００の水下から浴槽８０４のフランジ８０７の頂部までの跨ぎ高さＤ４は、４５０ｍｍ以下であるのが一般である。
【００１９】
従って、特許文献１に記載された発明のように単に排水口の周辺を隆起させる構成のみでは、例えば、浴槽を跨ぐ際、浴槽周辺の隆起部分で踏ん張る一方の足と、浴槽底部に達した他方の足との高さが異なるため、入浴者に過大な負担を掛けることとなる。
【００２０】
第二に、浴室ユニットの排水トラップは、一端が床パンの裏面に吊設され、他端が浴槽の排水フロートと連結して一体をなしている。そのため、排水トラップの取り付けを設置現場で行う場合、作業者の技能に応じて取付精度にばらつきが生じ、取付精度に低い部分から漏水して下階に多大な被害を与えるおそれがある。そこで、浴室ユニットは、排水トラップが床パン側と浴槽側とが一体となった形態で工場出荷されるのが一般的である。一体化された浴室ユニットは、浴槽側から床パン側に湯水が逆流することがないよう、浴槽側のフロートが床パン側の排水トラップより低い位置で構成されている。また、浴室ユニットの床パンは、裏面側にある排水トラップが５０ｍｍ乃至１００ｍｍ程度の高さで封水を溜めることができるよう、設置面からある程度の高さをもって設置されている。
【００２１】
このように、床パンの裏面側には、排水トラップ以外の配管も収納されているが、特許文献１に記載された発明のように単に排水口周辺のみに収納空間を確保する構造では、これらの配管を収納することを解決することができない。
【００２２】
本発明はかかる事情を鑑みてなされたものであり、平面視略矩形をなす床パンは、その外周を構成する四辺のうちの一辺の中程付近に排水トラップへと繋がる排水口が形成され、排水口に向かう水勾配を有する傾斜面が、外周から排水口にかけて複数の領域に仕切られ、これらの領域の水勾配が変化するように形成されていることにより、沓摺高さを所定の高さ以下に収めつつ、床パンの裏面側の収納空間を確保し、更に、床パンの排水性を確保することができる浴室ユニットの床パン構造を提供することを目的とする。
【課題を解決するための手段】
【００２３】
本発明に係る浴室ユニットの床パン構造は、浴槽とともに設置面に並設され、裏面側に排水トラップが配置された洗い場床を構成する床パンの構造であって、前記床パンは、平面視略矩形をなし、外周を構成する四辺のうちの一辺の中程付近に前記排水トラップに繋がる排水口が形成され、前記一辺以外の三辺それぞれの両端と前記排水口とを頂点とする平面視略三角形をなして前記排水口に向かう水勾配を有する傾斜面が形成され、前記傾斜面は、外周から前記排水口側に所定の幅を有する第一の領域がその内側の領域である第二の領域より急勾配となり、該第二の領域より内側であり且つ前記排水口付近に位置する第三の領域が前記第二の領域より急勾配であり且つ前記第一の領域より緩勾配となるように形成されていることを特徴とする。
【００２４】
本発明にあっては、平面視略矩形の床パンに、三辺それぞれの両端と排水口とを頂点とする平面視略三角形をなす傾斜面が排水口に向かう水勾配を有して形成されることにより、床パン上に形成される複数の傾斜面が、異なる方向に水勾配をそれぞれ有するように組み合わされてなり、いずれの傾斜面に湯水が落下しようとも、これらの排水が確実に排水口に誘導される。
【００２５】
また、各傾斜面が、外周から排水口にかけて複数の領域に仕切られ、これらの領域の水勾配が変化するように形成されていることにより、例えば、排水性を要する領域の水勾配を急勾配とし、それ以外の領域の水勾配を緩勾配とすることで床パン全体の水上側と水下側との高低差を極力抑えることができる。その結果、床パンの水上側となる沓摺高さを２００ｍｍ以下に抑えつつ、床パンの水下側にある排水トラップの収納空間を確保することができる。
【発明の効果】
【００２６】
本発明は、床パンの排水性を確保しつつ、床パンの水上側と水下側との高低差を極力抑えることができ、床パン水上側に位置する沓摺高さを所定の高さ以下に収めつつ、床パンの水下側に位置する排水トラップの収納空間を確保することができる。
【図面の簡単な説明】
【００２７】
【図１】本発明に係る浴室ユニットの床パン構造を示す平面図である。
【図２】図１の床パンに形成される床面構成突部などを示す平面図である。
【図３】図２の床面構成突起部の周辺を拡大した拡大図であり、（ａ）は床パンの外周付近を拡大した拡大図、（ｂ）は排水口付近を拡大した拡大図である。
【図４】Ａ−Ａ方向に切断した図１の床パンと、これに連結する浴槽とを示す側面断面図である。
【図５】従来の浴室ユニットの床パン構造を示す平面図である。
【図６】Ｂ−Ｂ方向に切断した図５の床パンと、これに連結する浴槽とを示す側面断面図である。
【図７】図１の浴室ユニットの床パン構造との比較例を示す床パンの平面図である。
【発明を実施するための形態】
【００２８】
本発明に係る浴室ユニットの床パン構造を本実施の形態を示す図面に基づいて以下説明する。浴室ユニットは、図４に示すように、少なくとも、洗い場床を構成する床パン１と、床パン１に並設する浴槽２と、床パン１の裏面に吊設された排水トラップ３とを備える。
【００２９】
（床パン１について）
床パン１は、図１乃至図４に示すように、洗い場面１０と、堰部１１、壁嵌込部１２及び排水口１３と、洗い場面１０の裏面から延び出た支持脚１４とを備える。床パン１は、支持脚１４が設置面に設置することにより、洗い場面１０が設置面から一定の高さに位置するように設置されている。
【００３０】
洗い場面１０は、平面視略矩形をなす床パン１の本体をなし、その外周を構成する四辺のうち、浴槽２側の一辺に堰部１１が設けられている。堰部１１は、浴槽２との間を水密に閉塞するエプロン２３の下端部を受け止めることができるよう洗い場面１０から盛り上がっている。
【００３１】
また、洗い場面１０は、堰部１１を有する一辺以外の三辺に壁嵌込部１２を備えている。壁嵌込部１２は、浴室の壁パネル１５の下端を嵌め込むことができるよう凹みをなしている。浴室の壁パネル１５のうちのいずれかの壁パネルには、浴室の出入口となるドア１６が設けられている。設置面からドア１６が取り付けられている壁嵌込部１２までの高さは、「沓摺高さ」となり、デファクトスタンダードである２００ｍｍ以下となるように設置されている。
【００３２】
また、洗い場面１０は、堰部１１を有する一辺の中程付近に排水口１３が設けられている。排水口１３は、洗い場面１０の裏面に吊設される排水トラップ３に繋がっている。洗い場面１０は、設置面からの高さが、排水トラップ３の高さ寸法に基づいて設定される。
【００３３】
（床パン１の傾斜面について）
洗い場面１０は、図１に示すように、壁嵌込部１２を有する三辺のそれぞれの両端と排水口１３とを頂点とする平面視略三角形をなす傾斜面を複数備える。複数の傾斜面は、それぞれ異なる方向に傾斜するように組み合わされている。
【００３４】
図１に示すように、第一の傾斜面１８５は、浴槽２側を上にした平面視で、左辺１８８の両端１８０及び１８１と排水口１３とを頂点とする平面視略三角形をなし、排水口１３に向かって水勾配を有している。
【００３５】
また、第二の傾斜面１８６は、下辺１８９の両端１８１及び１８２と排水口１３とを頂点とする平面視略三角形をなし、排水口１３に向かって水勾配を有している。
【００３６】
また、第三の傾斜面１８７は、右辺１９０の両端１８２及び１８３と排水口１３とを頂点とする平面視略三角形をなし、排水口１３に向かって水勾配を有している。
【００３７】
また、第一の傾斜面１８５と第二の傾斜面１８６との間には、第一の谷状稜線１９１が形成されている。また、第二の傾斜面１８６と第三の傾斜面１８７との間には、第二の谷状稜線１９２が形成されている。
【００３８】
（床パン１の領域について）
洗い場面１０は、図１に示すように、外周から排水口１３に向かって、排水性の異なる領域毎に仕切られている。
【００３９】
第一の領域は、壁嵌込部１２を備える三辺に沿って平面視略コの字状に形成され、その三辺（外周）から排水口１３側に５３ｍｍ程度の幅を有し、その幅方向に沿って排水勾配Ｓ１を有する。排水勾配Ｓ１は、後述するように洗い場面１０の中で最も急勾配をなす一方、勾配の長さが最も短い。
【００４０】
第二の領域は、第一の領域の内側に７１０ｍｍ程度の幅を有して形成され、第一の領域との間には、第三の谷状稜線１９３と第五の谷状稜線１９６とで挟まれた中間領域が存在する。また、第二の領域は、第一の領域に囲まれ且つ排水口１３を囲むように形成され、第一の領域の排水勾配Ｓ１に連続する排水勾配Ｓ２を有する。排水勾配Ｓ２は、後述するように洗い場面１０の中で最も緩勾配をなす一方、勾配の長さが最も長い。なお、第二の領域は、入浴者の洗い場となる一般的な領域となる。
【００４１】
第三の領域は、第二の領域より内側であり且つ排水口１３付近に２００ｍｍ程度の幅を有して形成され、第二の領域との境界に山状稜線１９４が形成され、排水口１３との境界に第四の谷状稜線１９５が形成されている。また、第三の領域は、第一の領域及び第二の領域に囲まれ且つ排水口１３に隣接するように形成され、第一の領域の排水勾配Ｓ１及び第二の領域の排水勾配Ｓ２に連続する排水勾配Ｓ３を有する。排水勾配Ｓ３は、後述するように、排水勾配Ｓ２より急勾配であり且つ排水勾配Ｓ１より緩勾配である。また、排水勾配Ｓ２の長さは、排水勾配Ｓ２より短く且つ排水勾配Ｓ１より長い。なお、第三の領域は、主に第二の領域に落下した排水を排水口１３へと導くための領域となる。
【００４２】
（床パン１の表面処理について）
第一の領域、第二の領域及び第三の領域は、その表面処理の違いにより排水性が異なっている。
【００４３】
第一の領域は、図２及び図３（ａ）に示すように、中間領域を含めた表面にサンドブラストなどの表面処理がなされるとともに、外周から第三の谷状稜線１９３までの間の表面に梨地の凹凸が形成されている。梨地の凹凸は、床パン１の成型時に同時に成型されることが好ましい。また、第一の領域には、ドア１６を有する壁パネル１５が取り付けられるため、後述するエンボスパターン部１７が形成されていない。
【００４４】
第二の領域及び第三の領域は、図２及び図３（ａ）に示すように、その表面に、排水性及び乾燥性を高めることが可能なエンボスパターン部１７が形成されている。エンボスパターン部１７は、格子状に形成された排水誘導凹部と、この排水誘導凹部に仕切られた床面構成突部とが連続的に形成されている。エンボスパターン部１７は、排水誘導凹部が洗い場面１０に落下した排水を排水口１３に向けて円滑に誘導するともに、床面構成突部が排水誘導凹部に残存する排水を水の表面張力により引き上げ、これにより、誘導されずに洗い場面１０に残存する排水の乾燥時間を早める（特開２０１０−３７８８６号公報を参照）。
【００４５】
また、第四の谷状稜線１９５から排水口１３までの間の領域には、その表面に、サンドブラストなどの表面処理がなされ、梨地の凹凸が形成されている。梨地の凹凸は、床パン１の成型時に同時に成型されることが好ましい。
【００４６】
（床パン１の排水勾配について）
床パン１の排水勾配Ｓ１、Ｓ２及びＳ３は、床パン１０の水上側と水下側との高低差が、従来の一般的な床パンの高低差より抑えるように設定される。床パン１０の水上側と水下側との高低差を抑えることにより、床パンの水上側に位置する沓摺高さを２００ｍｍ以下とする場合であっても、床パンの水下側に位置する排水トラップ８１０の収納空間を十分確保することができる。
【００４７】
また、床パン１の排水勾配Ｓ１、Ｓ２及びＳ３は、排水性が異なる、第一の領域、第二の領域及び第三の領域に応じて変化する。排水勾配Ｓ１及びＳ３は、排水性を要する領域を急勾配とし、排水勾配Ｓ２は、それ以外の領域を緩勾配としている。その結果、床パン１全体の水上側と水下側との高低差が極力抑えられる。
【００４８】
まず、排水勾配Ｓ２は、第二の領域が従来の一般的な排水勾配（即ち、２０／１０００乃至３０／１０００）より緩勾配となるように設定される。第二の領域は、従来の一般的な排水勾配より緩勾配となっているが、領域全てに亘りエンボスパターン部１７が形成されているので、排水の水路が途切れ難く、排水が排水口１３に向かって誘導され易いので、緩勾配となっている。
【００４９】
次に、排水勾配Ｓ１は、第一の領域が排水勾配Ｓ２及び排水勾配Ｓ３より急勾配となるように設定される。第一の領域には、ドア１６を有する壁パネル１５が取り付けられるため、エンボスパターン部１７が形成されていないが、ドア１６からの漏水を防ぐために排水を排水口１３に確実に導く必要がある。そのため、第一の領域は、排水勾配Ｓ２及び排水勾配Ｓ３より急勾配となっている。
【００５０】
排水勾配Ｓ３は、第三の領域が排水勾配Ｓ２より急勾配であり且つ排水勾配Ｓ１より緩勾配となるように設定される。第三の領域は、エンボスパターン部１７が途切れる第四の谷状稜線１９５で水の表面張力が生じるため、排水勾配Ｓ２程度の緩勾配では排水が排水口１３に到達せず、第四の谷状稜線１９５付近に残存し、乾燥が遅くなって入浴者に不快感を与えることとなる。そのため、第三の領域は、排水勾配Ｓ２より急勾配となっている。但し、第三の領域は、排水勾配Ｓ３の長さが排水勾配Ｓ１の長さより長いため、排水勾配Ｓ１より急勾配とすると、床パン１全体の高低差が大きくなるおそれがある。そのため、第三の領域は、排水勾配Ｓ１より緩勾配となっている。
【００５１】
なお、上述の条件を満たすことを前提として、排水勾配Ｓ１は、３０／１０００乃至６０／１０００の勾配であることが好ましいが、より好ましくは４５／１０００乃至５０／１０００の勾配である。
また、排水勾配Ｓ２は、８／１０００乃至１０／１０００の勾配であることが好ましい。また、排水勾配Ｓ２は、成型時の床パン１の反りや組立て時の誤差を考慮すると、特に、１０／１０００の勾配であることがより好ましい。
また、排水勾配Ｓ３は、１５／１０００乃至３０／１０００の勾配であることが好ましいが、より好ましくは１５／１０００乃至２０／１０００の勾配である。
これらの値は、本願発明者の鋭意努力により判明した。
【００５２】
（浴槽２について）
浴槽２は、図４に示すように、浴槽底部２０と、浴槽側壁２１と、フランジ２２と、エプロン２３と、浴槽パン２４と、排水筒２５と、支持脚２６とを備える。浴槽２は、本体がガラス繊維強化プラスチックで形成され、本体の浴槽底部２０が平面視略矩形をなし、この底部２０の四辺から浴槽側壁２１が立ち上がり、上面が開口している。また、浴槽２は、上面開口の縁から外方にフランジ２２が張り出し、フランジ２２の先端が垂下している。
【００５３】
エプロン２３は、浴槽２側を見て略矩形をなす板状部材であり、浴槽１と同様、ガラス繊維強化プラスチックで形成されている。エプロン２３は、上端部が浴槽２のフランジ２２の垂下部分に嵌まり込むとともに、下端部が床パン１の堰部１１に嵌まり込むことにより固定され、床パン１と浴槽２との間を水密に閉塞する。
【００５４】
浴槽パン２４は、平面視略矩形をなす板状部材であり、板状部材の上面に浴槽２が載置される。また、浴槽パン２４は、その裏面から延び出た支持脚２６が設置面に設置することにより、設置面から所定の高さとなるように配置される。ここで所定の高さとは、図４に示すように、浴槽パン２４に載置される浴槽２の浴槽底部２０と、床パン１の水下である排水口１３とが同じ高さ位置となることをいう。
【００５５】
なお、浴槽２は、洗い場面１０の排水口１３周辺（水下側）からフランジ２２の頂部までの跨ぎ高さＤ２が４５０ｍｍ以下となることが好ましい。また、浴槽２は、深さＤ１が跨ぎ高さＤ２と略同じであることが好ましい。その結果、跨ぎ前と跨ぎ後との高さ位置に差が無くなるため、跨ぐ際の負担が小さくなる。
【００５６】
（排水トラップ３について）
排水トラップ３は、本体下部中央に所定高さの封水溜３０が形成され、この封水溜３０に連通するように、後述する浴槽パン２４からの排水を集める排水筒２５が接続されている。また、排水トラップ３は、封水溜３０の上方側と連通するように排水口１３が形成されている。また、排水トラップ３は、排水口１３を介して洗い場面１０を流れる排水が流れ込む場合、又は、排水筒２５を介して浴槽２の排水が流れ込む場合、内部の水位が上昇し、排水主管３１へと送水される。また、排水トラップ３は、浴槽２の排水筒２５に設けられたフロートより高い位置に設けられ、浴槽２側から排水が逆流することがないようにされている。
【００５７】
排水トラップ３は、床パン１の洗い場面１０の裏面に吊設されている。排水トラップ３は、背景技術の欄に記載するように、小型化に限界が有り、一定の大きさを有する。そのため、洗い場面１０は、設置面からの高さ位置が、排水トラップ３の高さ寸法に応じて設定され、併せて、沓摺高さについても設定される。従って、洗い場面１０の低床化には、限界がある。そこで、洗い場面１０の勾配を排水が流れる必要最小限の緩勾配とすることにより、床パン１の水上側と水下側との高低差を抑え、洗い場床の水上側の沓摺高さが２００ｍｍ以下に設定する場合であっても、洗い場床の水下側の高さが極端に低くなることがなく、排水トラップ３の収納空間を確保することができる。言い換えれば、排水トラップ３の収納空間を確保すべく洗い場床の水下側の高さが多少高くなる場合であっても、洗い場床の水上側の高さが２００ｍｍ以下に収まるようにできる。
【００５８】
最後に、本発明の具体的な実施例を説明する。
【００５９】
（実施例１）
実施例１は、上述した本発明に係る実施の形態の一例であり、洗い場面１０の排水勾配について、排水勾配Ｓ１が４７／１０００の勾配であり、排水勾配Ｓ２が１０／１０００の勾配であり、排水勾配Ｓ３が１８／１０００の勾配となるように設定され、排水勾配Ｓ１の長さが５３ｍｍであり、排水勾配Ｓ２の長さが７１０ｍｍであり、排水勾配Ｓ３の長さが２００ｍｍとなるように設定されることにより、床パン１全体の水上側と水下側との高低差が１３ｍｍとなるように設定されている。
【００６０】
（比較例１）
比較例１は、背景技術の欄にて例示した従来の浴室ユニットの床パン構造であり、図５及び図６に示す床パン構造である。洗い場面８００の排水勾配について、排水勾配Ｓ４が２２／１０００の勾配であり、排水勾配Ｓ４の長さが８３０ｍｍとなるように設定されることにより、床パン８全体の水上側と水下側との高低差が１８ｍｍとなるように設定されている。
【００６１】
（比較例２）
比較例２は、図７に示す床パン構造であり、上述した本発明に係る実施の形態のうち、第二の領域と第三の領域とが仕切られていない構造である。洗い場面９００の排水勾配について、第一の領域に相当する領域の排水勾配Ｓ５が４７／１０００の勾配であり、第二の領域及び第三の領域に相当する領域の排水勾配Ｓ６が１２／１０００の勾配となるように設定され、排水勾配Ｓ５の長さが５３ｍｍであり、排水勾配Ｓ６の長さが９１０ｍｍとなるように設定されることにより、床パン９全体の水上側と水下側との高低差が１３ｍｍとなるように設定されている。
【００６２】
以下の説明では、実施例１と比較例１及び比較例２とを比較しつつ、「浴槽跨ぎの安全性」、「ユニットバス設置性」及び「床パン排水性」という切り口から相対評価を行い、その評価を以下の表１に纏める。
【００６３】
【表１】
2013113031.tif 000003
【００６４】
以上のとおり、「浴槽跨ぎの安全性」については、全て「良好」という結果となった。
【００６５】
次に、「ユニットバス設置性」について、実施例１及び比較例２は、水上／水下の高低差が１３ｍｍに設定されているため「良好」という結果である。これに対して、比較例１は、高低差が実施例１及び比較例２より大きいため、沓摺高さが２００ｍｍを超える結果となり、デファクトスタンダードである２００ｍｍの階上設置対応の建築物に対応することができず「不良」という結果となった。
【００６６】
次に、「床パン排水性」について、実施例１は、排水勾配Ｓ２が従来の一般的な排水勾配より緩勾配であるが、排水勾配Ｓ１及び排水勾配Ｓ３が急勾配であるため「良好」という結果である。また、比較例１は、排水勾配Ｓ４が従来の一般的な勾配であるため「良好」という結果である。これに対して、比較例２は、排水勾配Ｓ６が従来の一般的な勾配より緩勾配であるため「不良」という結果となった。
【００６７】
このように、「浴槽跨ぎの安全性」、「ユニットバス設置性」及び「床パン排水性」の全てについて「良好」の結果を有するのは、実施例１であることが確認された。
【符号の説明】
【００６８】
１  床パン
１０  洗い場面
１１  堰部
１２  壁嵌込部
１３  排水口
１４  支持脚
１５  壁パネル
１６  ドア
１７  エンボスパターン部
１８０〜１８４  頂点
１８５  第一の傾斜面
１８６  第二の傾斜面
１８７  第三の傾斜面
１８８〜１９０  辺
１９１  第一の谷状稜線
１９２  第二の谷状稜線
１９３  第三の谷状稜線
１９４  山状稜線
１９５  第四の谷状稜線
１９６  第五の谷状稜線
２  浴槽
２０  浴槽底部
２１  浴槽側壁
２２  フランジ
２３  エプロン
２４  浴槽パン
２５  排水筒
２６  支持脚
３  排水トラップ
３０  封水溜
３１  排水主管
【図１】
2013113031.tif 000004
【図２】
2013113031.tif 000005
【図３】
2013113031.tif 000006
【図４】
2013113031.tif 000007
【図５】
2013113031.tif 000008
【図６】
2013113031.tif 000009
【図７】
2013113031.tif 000010